(57)【要約】【課題】無線基地局に接続されているリレーノード配下のセルから当該リレーノードに接続されている別のリレーノード配下のセルに対する移動局のハンドオーバを可能とする。【解決手段】本発明に係る移動通信システムは、無線基地局ＤｅＮＢ＃２とリレーノードＲＮ＃３との間で、Ｘ２インターフェイスが設定されておらず、Ｓ１インターフェイスが設定されており、リレーノードＲＮ＃３とリレーノードＲＮ＃４との間で、Ｘ２インターフェイスが設定されておらず、Ｓ１インターフェイスが設定されており、移動局ＵＥのリレーノードＲＮ＃３配下のセルとリレーノードＲＮ＃４配下のセルとの間のハンドオーバ手順において、リレーノードＲＮ＃３は、リレーノードＲＮ＃４からＳ１インターフェイスを介して受信したハンドオーバ手順用の制御信号を終端するように構成されている。【選択図】図５
2011124930.tif 000002
【特許請求の範囲】
【請求項１】
無線基地局と、該無線基地局に接続されている第１リレーノードと、該第１リレーノードに接続されている第２リレーノードとを具備している移動通信システムであって、
前記無線基地局と前記第１リレーノードとの間で、Ｘ２インターフェイスが設定されておらず、Ｓ１インターフェイスが設定されており、
前記第１リレーノードと前記第２リレーノードとの間で、Ｘ２インターフェイスが設定されておらず、Ｓ１インターフェイスが設定されており、
移動局の前記第２リレーノード配下のセルと前記第１リレーノード配下のセルとの間のハンドオーバ手順において、前記第１リレーノードは、前記第２リレーノードからＳ１インターフェイスを介して受信した前記ハンドオーバ手順用の制御信号を終端するように構成されていることを特徴とする移動通信システム。
【請求項２】
無線基地局と、該無線基地局に接続されている第１リレーノードと、該第１リレーノードに接続されている第２リレーノードとを具備している移動通信システムであって、
前記無線基地局と前記第１リレーノードとの間で、Ｘ２インターフェイスが設定されておらず、Ｓ１インターフェイスが設定されており、
前記第１リレーノードと前記第２リレーノードとの間で、Ｘ２インターフェイスが設定されておらず、Ｓ１インターフェイスが設定されており、
移動局の前記無線基地局配下のセルと前記第２リレーノード配下のセルとの間のハンドオーバ手順において、前記第１リレーノードは、該第２リレーノードからＳ１インターフェイスを介して受信した前記ハンドオーバ手順用の制御信号を、該無線基地局に対してＳ１インターフェイスを介して転送し、該無線基地局からＳ１インターフェイスを介して受信した前記ハンドオーバ手順用の制御信号を、該第２リレーノードに対してＳ１インターフェイスを介して転送するように構成されていることを特徴とする移動通信システム。
【請求項３】
Ｘ２インターフェイスではなくＳ１インターフェイスを介して無線基地局及び他のリレーノードに接続されているリレーノードであって、
前記Ｓ１インターフェイスを介して受信したハンドオーバ手順用の制御信号の宛先を判定するように構成されている判定部と、
前記ハンドオーバ手順用の制御信号の宛先が前記リレーノードである場合、該ハンドオーバ手順用の制御信号を終端するように構成されている受信部と、
前記ハンドオーバ手順用の制御信号の宛先が前記他のリレーノード又は前記無線基地局である場合、該ハンドオーバ手順用の制御信号を該他のリレーノード又は該無線基地局に対して前記Ｓ１インターフェイスを介して転送するように構成されている送信部とを具備することを特徴とするリレーノード。
【発明の詳細な説明】
【技術分野】
【０００１】
本発明は、移動通信システム及びリレーノードに関する。
【背景技術】
【０００２】
ＬＴＥ（Ｌｏｎｇ  Ｔｅｒｍ  Ｅｖｏｌｕｔｉｏｎ）方式の後継であるＬＴＥ-Ａｄｖａｎｃｅｄ方式の移動通信システムは、無線基地局ＤｅＮＢ（Ｄｏｎｅｒ-ｅＮＢ）と移動局ＵＥとの間に、リレーノードＲＮ（Ｒｅｌａｙ  Ｎｏｄｅ）を設けることができるように構成されている。
【先行技術文献】
【非特許文献】
【０００３】
【非特許文献１】３ＧＰＰ  ＴＲ３６.８０６（Ｖ０.１.１）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；Ｒｅｌａｙ  ａｒｃｈｉｔｅｓｃｕｒｅｓ  ｆｏｒ  Ｅ−ＵＴＲＡ（ＬＴＥ-Ａｄｖａｎｃｅｄ）（Ｒｅｌｅａｓｅ.９）」、２００９年１１月
【発明の概要】
【発明が解決しようとする課題】
【０００４】
しかしながら、かかる移動通信システムにおいて、無線基地局ＤｅＮＢに接続されているリレーノードＲＮ配下のセルから当該リレーノードＲＮに接続されている別のリレーノード配下のセルに対する移動局ＵＥのハンドオーバ手順を、どのように実現すべきかについて具体的に規定されていないという問題点があった。
【０００５】
また、かかる移動通信システムにおいて、無線基地局ＤｅＮＢ配下のセルから当該無線基地局ＤｅＮＢに接続されているリレーノードＲＮに接続されている別のリレーノード配下のセルに対する移動局ＵＥのハンドオーバ手順を、どのように実現すべきかについて具体的に規定されていないという問題点があった。
【０００６】
そこで、本発明は、上述の課題に鑑みてなされたものであり、無線基地局に接続されているリレーノード配下のセルから当該リレーノードに接続されている別のリレーノード配下のセルに対する移動局のハンドオーバ、及び、無線基地局配下のセルから当該無線基地局に接続されているリレーノードに接続されている別のリレーノード配下のセルに対する移動局のハンドオーバを可能とする移動通信システム及びリレーノードを提供することを目的とする。
【課題を解決するための手段】
【０００７】
本発明の第１の特徴は、無線基地局と、該無線基地局に接続されている第１リレーノードと、該第１リレーノードに接続されている第２リレーノードとを具備している移動通信システムであって、前記無線基地局と前記第１リレーノードとの間で、Ｘ２インターフェイスが設定されておらず、Ｓ１インターフェイスが設定されており、前記第１リレーノードと前記第２リレーノードとの間で、Ｘ２インターフェイスが設定されておらず、Ｓ１インターフェイスが設定されており、移動局の前記第２リレーノード配下のセルと前記第１リレーノード配下のセルとの間のハンドオーバ手順において、前記第１リレーノードは、前記第２リレーノードからＳ１インターフェイスを介して受信した前記ハンドオーバ手順用の制御信号を終端するように構成されていることを要旨とする。
【０００８】
本発明の第２の特徴は、無線基地局と、該無線基地局に接続されている第１リレーノードと、該第１リレーノードに接続されている第２リレーノードとを具備している移動通信システムであって、前記無線基地局と前記第１リレーノードとの間で、Ｘ２インターフェイスが設定されておらず、Ｓ１インターフェイスが設定されており、前記第１リレーノードと前記第２リレーノードとの間で、Ｘ２インターフェイスが設定されておらず、Ｓ１インターフェイスが設定されており、移動局の前記無線基地局配下のセルと前記第２リレーノード配下のセルとの間のハンドオーバ手順において、前記第１リレーノードは、該第２リレーノードからＳ１インターフェイスを介して受信した前記ハンドオーバ手順用の制御信号を、該無線基地局に対してＳ１インターフェイスを介して転送し、該無線基地局からＳ１インターフェイスを介して受信した前記ハンドオーバ手順用の制御信号を、該第２リレーノードに対してＳ１インターフェイスを介して転送するように構成されていることを要旨とする。
【０００９】
本発明の第３の特徴は、Ｘ２インターフェイスではなくＳ１インターフェイスを介して無線基地局及び他のリレーノードに接続されているリレーノードであって、前記Ｓ１インターフェイスを介して受信したハンドオーバ手順用の制御信号の宛先を判定するように構成されている判定部と、前記ハンドオーバ手順用の制御信号の宛先が前記リレーノードである場合、該ハンドオーバ手順用の制御信号を終端するように構成されている受信部と、前記ハンドオーバ手順用の制御信号の宛先が前記他のリレーノード又は前記無線基地局である場合、該ハンドオーバ手順用の制御信号を該他のリレーノード又は該無線基地局に対して前記Ｓ１インターフェイスを介して転送するように構成されている送信部とを具備することを要旨とする。
【発明の効果】
【００１０】
以上説明したように、本発明によれば、無線基地局に接続されているリレーノード配下のセルから当該リレーノードに接続されている別のリレーノード配下のセルに対する移動局のハンドオーバ、及び、無線基地局配下のセルから当該無線基地局に接続されているリレーノードに接続されている別のリレーノード配下のセルに対する移動局のハンドオーバを可能とする移動通信システム及びリレーノードを提供することができる。
【図面の簡単な説明】
【００１１】
【図１】本発明の第１の実施形態に係る移動通信システムの全体構成図である。
【図２】本発明の第１の実施形態に係る移動通信システムにおけるＣ-ｐｌａｎｅのプロトコルスタック図である。
【図３】本発明の第１の実施形態に係る移動通信システムにおけるＵ-ｐｌａｎｅのプロトコルスタック図である。
【図４】本発明の第１の実施形態に係るリレーノードＲＮの機能ブロック図である。
【図５】本発明の第１の実施形態に係る移動通信システムにおいて、移動局ＵＥがリレーノードＲＮ＃４からリレーノードＲＮ＃３にハンドオーバする動作について説明するシーケンス図である。
【図６】本発明の第１の実施形態に係る移動通信システムにおいて、移動局ＵＥがリレーノードＲＮ＃３からリレーノードＲＮ＃４にハンドオーバする動作について説明するシーケンス図である。
【図７】本発明の第１の実施形態に係る移動通信システムにおいて、移動局ＵＥがリレーノードＲＮ＃４から無線基地局ＤｅＮＢ＃２にハンドオーバする動作について説明するシーケンス図である。
【図８】本発明の第１の実施形態に係る移動通信システムにおいて、移動局ＵＥが無線基地局ＤｅＮＢ＃２からリレーノードＲＮ＃４にハンドオーバする動作について説明するシーケンス図である。
【図９】本発明の第１の実施形態に係るリレーノードＲＮの動作を示すフローチャートである。
【発明を実施するための形態】
【００１２】
（本発明の第１の実施形態に係る移動通信システム）
図１乃至図９を参照して、本発明の第１の実施形態に係る移動通信システムについて説明する。
【００１３】
本実施形態に係る移動通信システムは、ＬＴＥ-Ａｄｖａｎｃｅｄ方式の移動通信システムであって、図１に示すように、交換局ＭＭＥと、複数の無線基地局ｅＮＢ/ＤｅＮＢ＃１/ＤｅＮＢ＃２と、複数のリレーノードＲＮ＃１/ＲＮ＃２/ＲＮ＃３/ＲＮ＃４と、移動局ＵＥとを具備している。
【００１４】
本実施形態では、無線基地局ＤｅＮＢ＃２に接続されているリレーノードＲＮ＃３配下のセルからリレーノードＲＮ＃３に接続されているリレーノードＲＮ＃４配下のセルに対する移動局ＵＥのハンドオーバ手順、リレーノードＲＮ＃４配下のセルからリレーノードＲＮ＃３配下のセルに対する移動局ＵＥのハンドオーバ手順、リレーノードＲＮ＃４配下のセルから無線基地局ＤｅＮＢ＃２配下のセルに対する移動局ＵＥのハンドオーバ手順及び、無線基地局ＤｅＮＢ＃２配下のセルからリレーノードＲＮ＃４配下のセルに対する移動局ＵＥのハンドオーバ手順を実現するための移動通信システムについて説明する。
【００１５】
ここで、図１に示すように、無線基地局ＤｅＮＢ＃２とリレーノードＲＮ＃３との間で、Ｘ２インターフェイスが設定されておらず、Ｓ１インターフェイスが設定されており、リレーノードＲＮ＃３とリレーノードＲＮ＃４との間で、Ｘ２インターフェイスが設定されておらず、Ｓ１インターフェイスが設定されている。
【００１６】
図２に、本実施形態に係る移動通信システムにおけるＣ-ｐｌａｎｅのプロトコルスタックを示し、図３に、本実施形態に係る移動通信システムにおけるＵ-ｐｌａｎｅのプロトコルスタックを示す。
【００１７】
図２に示すように、移動局ＵＥは、Ｃ-ｐｌａｎｅのプロトコル機能として、物理（ＰＨＹ）レイヤ機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＲＲＣ（Ｒａｄｉｏ  Ｒｅｓｏｕｒｃｅ  Ｃｏｎｔｒｏｌ）レイヤ機能とを具備している。
【００１８】
リレーノードＲＮは、Ｃ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００１９】
また、リレーノードＲＮは、Ｃ-ｐｌａｎｅのプロトコル機能として、無線基地局ＤｅＮＢ側に、物理（ＰＨＹ）レイヤ機能と、ＭＡＣレイヤ機能と、ＲＬＣレイヤ機能と、ＰＤＣＰレイヤ機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１ＡＰ（Ｓ１  Ａｐｐｌｉｃａｔｉｏｎ）レイヤ機能とを具備している。
【００２０】
無線基地局ＤｅＮＢは、Ｃ-ｐｌａｎｅのプロトコル機能として、リレーノードＲＮ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＳＣＴＰレイヤ機能と、Ｓ１ＡＰレイヤ機能とを具備している。
【００２１】
また、無線基地局ＤｅＮＢは、Ｃ-ｐｌａｎｅのプロトコル機能として、交換局ＭＭＥ（Ｍｏｂｉｌｉｔｙ  Ｍａｎａｇｅｍｅｎｔ  Ｅｎｔｉｔｙ）側に、ＮＷＬ１（Ｎｅｔｗｏｒｋ  Ｌａｙｅｒ  １）機能と、ＮＷＬ２（Ｎｅｔｗｏｒｋ  Ｌａｙｅｒ  ２）機能と、ＩＰレイヤ機能と、ＳＣＴＰレイヤ機能と、Ｓ１ＡＰレイヤ機能とを具備している。
【００２２】
交換局ＭＭＥは、Ｃ-ｐｌａｎｅのプロトコル機能として、ＮＷＬ１機能と、ＮＷＬ２機能と、ＩＰレイヤ機能と、ＳＣＴＰレイヤ機能と、Ｓ１ＡＰレイヤ機能とを具備している。
【００２３】
ここで、図２に示すように、リレーノードＲＮのＳ１ＡＰレイヤ機能と無線基地局ＤｅＮＢのＳ１ＡＰレイヤ機能との間で、Ｓ１インターフェイス用プロトコルが終端されており、無線基地局ＤｅＮＢのＳ１ＡＰレイヤ機能と交換局ＭＭＥのＳ１ＡＰレイヤ機能との間で、Ｓ１インターフェイス用プロトコルが終端されていてもよい。
【００２４】
また、図３に示すように、移動局ＵＥは、Ｕ-ｐｌａｎｅのプロトコル機能として、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２５】
リレーノードＲＮは、Ｕ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２６】
また、リレーノードＲＮは、Ｕ-ｐｌａｎｅのプロトコル機能として、無線基地局ＤｅＮＢ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰ（Ｕｓｅｒ  Ｄａｔａｇｒａｍ  Ｐｒｏｔｏｃｏｌ）レイヤ機能と、ＧＴＰ（ＧＰＲＳ  Ｔｕｎｎｅｌｉｎｇ  Ｐｒｏｔｏｃｏｌ）-Ｕレイヤ機能とを具備している。
【００２７】
無線基地局ＤｅＮＢは、Ｕ-ｐｌａｎｅのプロトコル機能として、リレーノードＲＮ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰレイヤ機能と、ＧＴＰ-Ｕレイヤ機能とを具備している。
【００２８】
また、無線基地局ＤｅＮＢは、Ｕ-ｐｌａｎｅのプロトコル機能として、交換局ＭＭＥ側に、ＮＷＬ１機能と、ＮＷＬ２機能と、ＩＰレイヤ機能と、ＵＤＰレイヤ機能と、ＧＴＰ-Ｕレイヤ機能とを具備している。
【００２９】
交換局ＭＭＥは、Ｕ-ｐｌａｎｅのプロトコル機能として、ＮＷＬ１機能と、ＮＷＬ２機能と、ＩＰレイヤ機能と、ＵＤＰレイヤ機能と、ＧＴＰ-Ｕレイヤ機能とを具備している。
【００３０】
図４に示すように、リレーノードＲＮ（例えば、本実施形態におけるリレーノードＲＮ＃３）は、受信部１１と、判定部１２と、送信部１３とを具備している。
【００３１】
受信部１１は、無線基地局ＤｅＮＢや別のリレーノードＲＮから、Ｓ１インターフェイスを介して、ハンドオーバ手順用の制御信号（例えば、「（Ｓ１）ＨＯ  Ｒｅｑｕｉｒｅｄ」等）を受信するように構成されている。
【００３２】
送信部１３は、Ｓ１インターフェイスを介して、無線基地局ＤｅＮＢや別のリレーノードＲＮに対して、受信部１１によって受信されたハンドオーバ手順用の制御信号（例えば、「（Ｓ１）ＨＯ  Ｒｅｑｕｉｒｅｄ」等）を転送するように構成されている。
【００３３】
判定部１２は、受信部１１によって受信されたハンドオーバ手順用の制御信号の宛先を判定するように構成されている。
【００３４】
ここで、ハンドオーバ手順用の制御信号の宛先がリレーノードＲＮ自身であると判定された場合、受信部１１は、かかるハンドオーバ手順用の制御信号を終端するように構成されている。
【００３５】
一方、ハンドオーバ手順用の制御信号の宛先が別のリレーノードＲＮ又は無線基地局ＤｅＮＢであると判定された場合、送信部１３は、かかるハンドオーバ手順用の制御信号を別のリレーノードＲＮ又は無線基地局ＤｅＮＢに対してＳ１インターフェイスを介して転送するように構成されている。
【００３６】
以下、図５乃至図８を参照して、本発明の第１の実施形態に係る移動通信システムの動作について説明する。
【００３７】
第１に、図５を参照して、本実施形態に係る移動通信システムにおいて、移動局ＵＥのリレーノードＲＮ＃４配下のセル＃４からリレーノードＲＮ＃３配下のセル＃３へのハンドオーバ手順を行う場合の動作について説明する。
【００３８】
図５に示すように、ステップＳ１００１において、リレーノードＲＮ＃４は、セル＃４において接続中の移動局ＵＥに対して、「Ｍｅａｓｕｒｅｍｅｎｔ  Ｃｏｎｔｒｏｌ」を送信する。
【００３９】
ステップＳ１００２において、移動局ＵＥは、上述の「Ｍｅａｓｕｒｅｍｅｎｔ  Ｃｏｎｔｒｏｌ」に基づいて、所定タイミングで、リレーノードＲＮ＃４に対して、「Ｍｅａｓｕｒｅｍｅｎｔ  Ｒｅｐｏｒｔ」を送信する。
【００４０】
リレーノードＲＮ＃４は、ステップＳ１００３において、移動局ＵＥのセル＃４からセル＃３へのハンドオーバ手順を開始することを決定すると、ステップＳ１００４において、リレーノードＲＮ＃３に対して、「（Ｓ１）ＨＯ  Ｒｅｑｕｉｒｅｄ」を送信する。
【００４１】
ステップＳ１００５において、リレーノードＲＮ＃３は、受信した「（Ｓ１）ＨＯ  Ｒｅｑｕｉｒｅｄ」の宛先がリレーノードＲＮ＃３自身であると判定し、すなわち、かかる「（Ｓ１）ＨＯ  Ｒｅｑｕｉｒｅｄ」がリレーノードＲＮ＃３配下のセル＃３に対するハンドオーバ手順用の制御信号であると判定し、かかる「（Ｓ１）ＨＯ  Ｒｅｑｕｉｒｅｄ」を終端し、リレーノードＲＮ＃４に対して、「（Ｓ１）ＨＯ  Ｃｏｍｍａｎｄ」を送信する。
【００４２】
ステップＳ１００６において、リレーノードＲＮ＃４は、受信した「（Ｓ１）ＨＯ  Ｃｏｍｍａｎｄ」の宛先がリレーノードＲＮ＃４自身であると判定し、かかる「（Ｓ１）ＨＯ  Ｃｏｍｍａｎｄ」を終端し、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ１００７において、リレーノードＲＮ＃３に対して、「（Ｓ１）ｅＮＢ  Ｓｔａｔｕｓ  Ｔｒａｎｓｆｅｒ」を送信する。
【００４３】
ステップＳ１００８において、移動局ＵＥは、セル＃４からのデタッチ処理を行い、セル＃３との間で同期処理を行う。
【００４４】
ステップＳ１００９において、移動局ＵＥは、リレーノードＲＮ＃３に対して、「Ｒａｎｄｏｍ  Ａｃｃｅｓｓ  Ｐｒｅａｍｂｌｅ」を送信し、ステップＳ１０１０において、リレーノードＲＮ＃３は、移動局ＵＥに対して、上りリンクにおける無線リソースを割り当て、移動局ＵＥ用の「ＴＡ（Ｔｉｍｉｎｇ  Ａｄｊｕｓｔｍｅｎｔ）」を送信し、ステップＳ１０１１において、移動局ＵＥは、リレーノードＲＮ＃３に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４５】
ステップＳ１０１２において、リレーノードＲＮ＃３は、リレーノードＲＮ＃４に対して、「（Ｘ２）ＵＥ  Ｃｏｎｔｅｘｔ  Ｒｅｌｅａｓｅ」を送信する。
【００４６】
上述のハンドオーバ手順の前後において、リレーノードＲＮ＃３と無線基地局ＤｅＮＢ＃２との間で設定されている移動局ＵＥ用のＳ１コネクション、及び、交換局ＭＭＥと無線基地局ＤｅＮＢ＃２との間で設定されている移動局ＵＥ用のＳ１コネクションには変化はない。
【００４７】
第２に、図６を参照して、本実施形態に係る移動通信システムにおいて、移動局ＵＥのリレーノードＲＮ＃３配下のセル＃３からリレーノードＲＮ＃４配下のセル＃４へのハンドオーバ手順を行う場合の動作について説明する。
【００４８】
図６に示すように、ステップＳ２００１において、リレーノードＲＮ＃３は、セル＃３において接続中の移動局ＵＥに対して、「Ｍｅａｓｕｒｅｍｅｎｔ  Ｃｏｎｔｒｏｌ」を送信する。
【００４９】
ステップＳ２００２において、移動局ＵＥは、上述の「Ｍｅａｓｕｒｅｍｅｎｔ  Ｃｏｎｔｒｏｌ」に基づいて、所定タイミングで、リレーノードＲＮ＃３に対して、「Ｍｅａｓｕｒｅｍｅｎｔ  Ｒｅｐｏｒｔ」を送信する。
【００５０】
リレーノードＲＮ＃３は、ステップＳ２００３において、移動局ＵＥのセル＃３からセル＃４へのハンドオーバ手順を開始することを決定すると、ステップＳ２００４において、リレーノードＲＮ＃４に対して、「（Ｓ１）ＨＯ  Ｒｅｑｕｅｓｔ」を送信する。
【００５１】
ステップＳ２００５において、リレーノードＲＮ＃４は、受信した「（Ｓ１）ＨＯ  Ｒｅｑｕｅｓｔ」の宛先がリレーノードＲＮ＃４自身であると判定し、すなわち、かかる「（Ｓ１）ＨＯ  Ｒｅｑｕｅｓｔ」がリレーノードＲＮ＃４配下のセル＃４に対するハンドオーバ手順用の制御信号であると判定し、かかる「（Ｓ１）ＨＯ  Ｒｅｑｕｅｓｔ」を終端し、リレーノードＲＮ＃３に対して、「（Ｓ１）ＨＯ  Ｃｏｍｍａｎｄ」を送信する。
【００５２】
ステップＳ２００６において、リレーノードＲＮ＃３は、受信した「（Ｓ１）ＨＯ  Ｃｏｍｍａｎｄ」の宛先がリレーノードＲＮ＃３自身であると判定し、かかる「（Ｓ１）ＨＯ  Ｃｏｍｍａｎｄ」を終端し、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ２００７において、リレーノードＲＮ＃４に対して、「（Ｓ１）ＭＭＥ  Ｓｔａｔｕｓ  Ｔｒａｎｓｆｅｒ」を送信する。
【００５３】
ここで、リレーノードＲＮ＃４は、受信した「（Ｓ１）ＭＭＥ  Ｓｔａｔｕｓ  Ｔｒａｎｓｆｅｒ」の宛先がリレーノードＲＮ＃４自身であると判定し、かかる「（Ｓ１）ＭＭＥ  Ｓｔａｔｕｓ  Ｔｒａｎｓｆｅｒ」を終端する。
【００５４】
ステップＳ２００８において、移動局ＵＥは、セル＃３からのデタッチ処理を行い、セル＃４との間で同期処理を行う。
【００５５】
ステップＳ２００９において、移動局ＵＥは、リレーノードＲＮ＃４に対して、「Ｒａｎｄｏｍ  Ａｃｃｅｓｓ  Ｐｒｅａｍｂｌｅを送信し、ステップＳ２０１０において、リレーノードＲＮ＃４は、移動局ＵＥに対して、上りリンクにおける無線リソースを割り当て、移動局ＵＥ用の「ＴＡ」を送信し、ステップＳ２０１１において、移動局ＵＥは、リレーノードＲＮ＃４に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５６】
ステップＳ２０１２において、リレーノードＲＮ＃４は、リレーノードＲＮ＃３に対して、「（Ｓ１）Ｐａｔｈ  Ｓｗｉｔｃｈ  Ｒｅｑｕｅｓｔ」を送信する。
【００５７】
ステップＳ２０１３において、リレーノードＲＮ＃３は、受信した「（Ｓ１）Ｐａｔｈ  Ｓｗｉｔｃｈ  Ｒｅｑｕｅｓｔ」の宛先がリレーノードＲＮ＃３自身であると判定し、かかる「（Ｓ１）Ｐａｔｈ  Ｓｗｉｔｃｈ  Ｒｅｑｕｅｓｔ」を終端し、リレーノードＲＮ＃４に対して、「（Ｓ１）Ｐａｔｈ  Ｓｗｉｔｃｈ  Ｒｅｑｕｅｓｔ  ＡＣＫ」を送信する。
【００５８】
ステップＳ２０１４において、リレーノードＲＮ＃４は、リレーノードＲＮ＃３に対して、「（Ｓ１）ＵＥ  Ｃｏｎｔｅｘｔ  Ｒｅｌｅａｓｅ」を送信する。
【００５９】
ここで、リレーノードＲＮ＃３は、受信した「（Ｓ１）ＵＥ  Ｃｏｎｔｅｘｔ  Ｒｅｌｅａｓｅ」の宛先がリレーノードＲＮ＃３自身であると判定し、かかる「（Ｓ１）ＵＥ  Ｃｏｎｔｅｘｔ  Ｒｅｌｅａｓｅ」を終端する。
【００６０】
上述のハンドオーバ手順の前後において、リレーノードＲＮ＃３と無線基地局ＤｅＮＢ＃２との間で設定されている移動局ＵＥ用のＳ１コネクション、及び、交換局ＭＭＥと無線基地局ＤｅＮＢ＃２との間で設定されている移動局ＵＥ用のＳ１コネクションには変化はない。
【００６１】
第３に、図７を参照して、本実施形態に係る移動通信システムにおいて、移動局ＵＥのリレーノードＲＮ＃４配下のセル＃４から無線基地局ＤｅＮＢ＃２配下のセル＃２へのハンドオーバ手順を行う場合の動作について説明する。
【００６２】
図７に示すように、ステップＳ３００１において、リレーノードＲＮ＃４は、セル＃４において接続中の移動局ＵＥに対して、「Ｍｅａｓｕｒｅｍｅｎｔ  Ｃｏｎｔｒｏｌ」を送信する。
【００６３】
ステップＳ３００２において、移動局ＵＥは、上述の「Ｍｅａｓｕｒｅｍｅｎｔ  Ｃｏｎｔｒｏｌ」に基づいて、所定タイミングで、リレーノードＲＮ＃４に対して、「Ｍｅａｓｕｒｅｍｅｎｔ  Ｒｅｐｏｒｔ」を送信する。
【００６４】
リレーノードＲＮ＃４は、ステップＳ３００３において、移動局ＵＥのセル＃４からセル＃２へのハンドオーバ手順を開始することを決定すると、ステップＳ３００４において、リレーノードＲＮ＃３に対して、「（Ｓ１）ＨＯ  Ｒｅｑｕｉｒｅｄ」を送信する。
【００６５】
ステップＳ３００５において、リレーノードＲＮ＃３は、受信した「（Ｓ１）ＨＯ  Ｒｅｑｕｉｒｅｄ」の宛先が無線基地局ＤｅＮＢ＃２であると判定し、すなわち、かかる「（Ｓ１）ＨＯ  Ｒｅｑｕｉｒｅｄ」が無線基地局ＤｅＮＢ＃２配下のセル＃２に対するハンドオーバ手順用の制御信号であると判定し、無線基地局ＤｅＮＢ＃２に対して、かかる「（Ｓ１）ＨＯ  Ｒｅｑｕｉｒｅｄ」を転送する。
【００６６】
ステップＳ３００６において、無線基地局ＤｅＮＢ＃２は、受信した「（Ｓ１）ＨＯ  Ｒｅｑｕｉｒｅｄ」の宛先が無線基地局ＤｅＮＢ＃２自身であると判定し、すなわち、かかる「（Ｓ１）ＨＯ  Ｒｅｑｕｉｒｅｄ」が無線基地局ＤｅＮＢ＃２配下のセル＃２に対するハンドオーバ手順用の制御信号であると判定し、かかる「（Ｓ１）ＨＯ  Ｒｅｑｕｉｒｅｄ」を終端し、リレーノードＲＮ＃３に対して、「（Ｓ１）ＨＯ  Ｃｏｍｍａｎｄ」を送信する。
【００６７】
ステップＳ３００７において、リレーノードＲＮ＃３は、受信した「（Ｓ１）ＨＯ  Ｃｏｍｍａｎｄ」の宛先がリレーノードＲＮ＃４であると判定し、リレーノードＲＮ＃４に対して、かかる「（Ｓ１）ＨＯ  Ｃｏｍｍａｎｄ」を転送する。
【００６８】
リレーノードＲＮ＃４は、ステップＳ３００８において、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ３００９において、リレーノードＲＮ＃３に対して、「（Ｓ１）ｅＮＢ  Ｓｔａｔｕｓ  Ｔｒａｎｓｆｅｒ」を送信する。
【００６９】
ステップＳ３０１０において、リレーノードＲＮ＃３は、受信した「（Ｓ１）ｅＮＢ  Ｓｔａｔｕｓ  Ｔｒａｎｓｆｅｒ」の宛先が無線基地局ＤｅＮＢ＃２であると判定し、無線基地局ＤｅＮＢ＃２に対して、かかる「（Ｓ１）ｅＮＢ  Ｓｔａｔｕｓ  Ｔｒａｎｓｆｅｒ」を転送する。
【００７０】
ステップＳ３０１１において、移動局ＵＥは、セル＃４からのデタッチ処理を行い、セル＃２との間で同期処理を行う。
【００７１】
ステップＳ３０１２において、移動局ＵＥは、無線基地局ＤｅＮＢ＃２に対して、「Ｒａｎｄｏｍ  Ａｃｃｅｓｓ  Ｐｒｅａｍｂｌｅ」を送信し、ステップＳ３０１３において、無線基地局ＤｅＮＢ＃２は、移動局ＵＥに対して、上りリンクにおける無線リソースを割り当て、移動局ＵＥ用の「ＴＡ」を送信し、ステップＳ３０１４において、移動局ＵＥは、無線基地局ＤｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７２】
ステップＳ３０１５において、無線基地局ＤｅＮＢ＃２は、リレーノードＲＮ＃３に対して、「（Ｓ１）ＵＥ  Ｃｏｎｔｅｘｔ  Ｒｅｌｅａｓｅ」を送信する。
【００７３】
ステップＳ３０１６において、リレーノードＲＮ＃３は、受信した「（Ｓ１）ＵＥ  Ｃｏｎｔｅｘｔ  Ｒｅｌｅａｓｅ」の宛先がリレーノードＲＮ＃４であると判定し、リレーノードＲＮ＃４に対して、かかる「（Ｓ１）ＵＥ  Ｃｏｎｔｅｘｔ  Ｒｅｌｅａｓｅ」を転送する。
【００７４】
ここで、リレーノードＲＮ＃４は、受信した「（Ｓ１）ＵＥ  Ｃｏｎｔｅｘｔ  Ｒｅｌｅａｓｅ」の宛先がリレーノードＲＮ＃４自身であると判定し、かかる「（Ｓ１）ＵＥ  Ｃｏｎｔｅｘｔ  Ｒｅｌｅａｓｅ」を終端する。
【００７５】
上述のハンドオーバ手順の前後において、交換局ＭＭＥと無線基地局ＤｅＮＢ＃２との間で設定されている移動局ＵＥ用のＳ１コネクションには変化はない。
【００７６】
第４に、図８を参照して、本実施形態に係る移動通信システムにおいて、移動局ＵＥの無線基地局ＤｅＮＢ＃２配下のセル＃２からリレーノードＲＮ＃４配下のセル＃４へのハンドオーバ手順を行う場合の動作について説明する。
【００７７】
図８に示すように、ステップＳ４００１において、無線基地局ＤｅＮＢ＃２は、セル＃２において接続中の移動局ＵＥに対して、「Ｍｅａｓｕｒｅｍｅｎｔ  Ｃｏｎｔｒｏｌ」を送信する。
【００７８】
ステップＳ４００２において、移動局ＵＥは、上述の「Ｍｅａｓｕｒｅｍｅｎｔ  Ｃｏｎｔｒｏｌ」に基づいて、所定タイミングで、無線基地局ＤｅＮＢ＃２に対して、「Ｍｅａｓｕｒｅｍｅｎｔ  Ｒｅｐｏｒｔ」を送信する。
【００７９】
無線基地局ＤｅＮＢ＃２は、ステップＳ４００３において、移動局ＵＥのセル＃２からセル＃４へのハンドオーバ手順を開始することを決定すると、ステップＳ４００４において、リレーノードＲＮ＃３に対して、「（Ｓ１）ＨＯ  Ｒｅｑｕｉｒｅｄ」を送信する。
【００８０】
ステップＳ４００５において、リレーノードＲＮ＃３は、受信した「（Ｓ１）ＨＯ  Ｒｅｑｕｉｒｅｄ」の宛先がリレーノードＲＮ＃４であると判定し、すなわち、かかる「（Ｓ１）ＨＯ  Ｒｅｑｕｉｒｅｄ」がリレーノードＲＮ＃４配下のセル＃４に対するハンドオーバ手順用の制御信号であると判定し、リレーノードＲＮ＃４に対して、かかる「（Ｓ１）ＨＯ  Ｒｅｑｕｉｒｅｄ」を転送する。
【００８１】
ステップＳ４００６において、リレーノードＲＮ＃４は、受信した「（Ｓ１）ＨＯ  Ｒｅｑｕｉｒｅｄ」の宛先がリレーノードＲＮ＃４自身であると判定し、すなわち、かかる「（Ｓ１）ＨＯ  Ｒｅｑｕｉｒｅｄ」がリレーノードＲＮ＃４配下のセル＃４に対するハンドオーバ手順用の制御信号であると判定し、かかる「（Ｓ１）ＨＯ  Ｒｅｑｕｉｒｅｄ」を終端し、リレーノードＲＮ＃３に対して、「（Ｓ１）ＨＯ  Ｃｏｍｍａｎｄ」を送信する。
【００８２】
ステップＳ４００７において、リレーノードＲＮ＃３は、受信した「（Ｓ１）ＨＯ  Ｃｏｍｍａｎｄ」の宛先が無線基地局ＤｅＮＢ＃２であると判定し、無線基地局ＤｅＮＢ＃２に対して、かかる「（Ｓ１）ＨＯ  Ｃｏｍｍａｎｄ」を転送する。
【００８３】
無線基地局ＤｅＮＢ＃２は、ステップＳ４００８において、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ４００９において、リレーノードＲＮ＃３に対して、「（Ｓ１）ＭＭＥ  Ｓｔａｔｕｓ  Ｔｒａｎｓｆｅｒ」を送信する。
【００８４】
ステップＳ４０１０において、リレーノードＲＮ＃３は、受信した「（Ｓ１）ＭＭＥ  Ｓｔａｔｕｓ  Ｔｒａｎｓｆｅｒ」の宛先がリレーノードＲＮ＃４であると判定し、リレーノードＲＮ＃４に対して、かかる「（Ｓ１）ＭＭＥ  Ｓｔａｔｕｓ  Ｔｒａｎｓｆｅｒ」を転送する。
【００８５】
ステップＳ４０１１において、移動局ＵＥは、セル＃２からのデタッチ処理を行い、セル＃４との間で同期処理を行う。
【００８６】
ステップＳ４０１２において、移動局ＵＥは、リレーノードＲＮ＃４に対して、「Ｒａｎｄｏｍ  Ａｃｃｅｓｓ  Ｐｒｅａｍｂｌｅ」を送信し、ステップＳ４０１３において、リレーノードＲＮ＃４は、移動局ＵＥに対して、上りリンクにおける無線リソースを割り当て、移動局ＵＥ用の「ＴＡ」を送信し、ステップＳ４０１４において、移動局ＵＥは、リレーノードＲＮ＃４に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００８７】
ステップＳ４０１３において、リレーノードＲＮ＃４は、リレーノードＲＮ＃３に対して、「（Ｓ１）Ｐａｔｈ  Ｓｗｉｔｃｈ  Ｒｅｑｕｅｓｔ」を送信する。
【００８８】
ここで、リレーノードＲＮ＃３は、受信した「（Ｓ１）Ｐａｔｈ  Ｓｗｉｔｃｈ  Ｒｅｑｕｅｓｔ」の宛先が無線基地局ＤｅＮＢ＃２であると判定し、無線基地局ＤｅＮＢ＃２に対して、かかる「（Ｓ１）Ｐａｔｈ  Ｓｗｉｔｃｈ  Ｒｅｑｕｅｓｔ」を転送する。
【００８９】
ステップＳ４０１６において、無線基地局ＤｅＮＢ＃２は、受信した「（Ｓ１）Ｐａｔｈ  Ｓｗｉｔｃｈ  Ｒｅｑｕｅｓｔ」の宛先が無線基地局ＤｅＮＢ＃２自身であると判定し、かかる「（Ｓ１）Ｐａｔｈ  Ｓｗｉｔｃｈ  Ｒｅｑｕｅｓｔ」を終端し、リレーノードＲＮ＃３に対して、「（Ｓ１）Ｐａｔｈ  Ｓｗｉｔｃｈ  Ｒｅｑｕｅｓｔ  ＡＣＫ」を転送する。
【００９０】
ここで、リレーノードＲＮ＃３は、受信した「（Ｓ１）Ｐａｔｈ  Ｓｗｉｔｃｈ  Ｒｅｑｕｅｓｔ  ＡＣＫ」の宛先がリレーノードＲＮ＃４であると判定し、リレーノードＲＮ＃４に対して、かかる「（Ｓ１）Ｐａｔｈ  Ｓｗｉｔｃｈ  Ｒｅｑｕｅｓｔ  ＡＣＫ」を転送する。
【００９１】
ステップＳ４０１７において、リレーノードＲＮ＃４は、リレーノードＲＮ＃３に対して、「（Ｓ１）ＵＥ  Ｃｏｎｔｅｘｔ  Ｒｅｌｅａｓｅ」を送信する。
【００９２】
ここで、リレーノードＲＮ＃３は、受信した「（Ｓ１）ＵＥ  Ｃｏｎｔｅｘｔ  Ｒｅｌｅａｓｅ」の宛先が無線基地局ＤｅＮＢ＃２であると判定し、無線基地局ＤｅＮＢ＃２に対して、かかる「（Ｓ１）ＵＥ  Ｃｏｎｔｅｘｔ  Ｒｅｌｅａｓｅ」を転送する。
【００９３】
ここで、無線基地局ＤｅＮＢ＃２は、受信した「（Ｓ１）ＵＥ  Ｃｏｎｔｅｘｔ  Ｒｅｌｅａｓｅ」の宛先が無線基地局ＤｅＮＢ＃２自身であると判定し、かかる「（Ｓ１）ＵＥ  Ｃｏｎｔｅｘｔ  Ｒｅｌｅａｓｅ」を終端する。
【００９４】
上述のハンドオーバ手順の前後において、交換局ＭＭＥと無線基地局ＤｅＮＢ＃２との間で設定されている移動局ＵＥ用のＳ１コネクションには変化はない。
【００９５】
次に、図９を参照して、本実施形態に係るリレーノードＲＮの動作について説明する。
【００９６】
図９に示すように、リレーノードＲＮは、ステップＳ１０１において、別のリレーノードＲＮ（例えば、下位のリレーノードＲＮ）又は無線基地局ＤｅＮＢから、ハンドオーバ手順用の制御信号である「Ｓ１  ｈａｎｄｏｖｅｒ  ｍｅｓｓａｇｅ」を受信すると、ステップＳ１０２において、かかる「Ｓ１  ｈａｎｄｏｖｅｒ  ｍｅｓｓａｇｅ」の宛先がリレーノードＲＮ自身であるか否かについて判定する。
【００９７】
ここで、リレーノードＲＮ自身であると判定された場合、本動作は、ステップＳ１０３に進み、リレーノードＲＮ自身でないと判定された場合、本動作は、ステップＳ１０４に進む。
【００９８】
ステップＳ１０３において、リレーノードＲＮは、かかる「Ｓ１  ｈａｎｄｏｖｅｒ  ｍｅｓｓａｇｅ」に対応する処理を行い、別のリレーノードＲＮ又は無線基地局ＤｅＮＢに対して、かかる「Ｓ１  ｈａｎｄｏｖｅｒ  ｍｅｓｓａｇｅ」に対する応答信号である「ｒｅｓｐｏｎｓｅ  ｍｅｓｓａｇｅ」を送信する。
【００９９】
ステップＳ１０４において、リレーノードＲＮは、かかる「Ｓ１  ｈａｎｄｏｖｅｒ  ｍｅｓｓａｇｅ」の宛先が下位のリレーノードＲＮであるか否かについて判定する。
【０１００】
ここで、下位のリレーノードＲＮであると判定された場合、本動作は、ステップＳ１０５に進み、下位のリレーノードＲＮでないと判定された場合、本動作は、ステップＳ１０６に進む。
【０１０１】
ステップＳ１０５において、リレーノードＲＮは、かかる下位のリレーノードＲＮに対して、かかる「Ｓ１  ｈａｎｄｏｖｅｒ  ｍｅｓｓａｇｅ」を転送する。
【０１０２】
ステップＳ１０６において、リレーノードＲＮは、上位のリレーノードＲＮ又は無線基地局ＤｅＮＢに対して、かかる「Ｓ１  ｈａｎｄｏｖｅｒ  ｍｅｓｓａｇｅ」を転送する。
【０１０３】
本発明の第１の実施形態に係る移動通信システムによれば、交換局ＭＭＥが関与することなく、リレーノードＲＮ＃３配下のセル＃３とリレーノードＲＮ＃４配下のセル＃４との間の移動局ＵＥのハンドオーバ、及び、リレーノードＲＮ＃４配下のセル＃４と無線基地局ＤｅＮＢ＃２配下のセル＃２との間の移動局ＵＥのハンドオーバを実現することができる。
【０１０４】
以上に述べた本実施形態の特徴は、以下のように表現されていてもよい。
【０１０５】
本実施形態の第１の特徴は、無線基地局ＤｅＮＢ＃２と、無線基地局ＤｅＮＢ＃２に接続されているリレーノードＲＮ＃３（第１リレーノード）と、リレーノードＲＮ＃３に接続されているリレーノードＲＮ＃４（第２リレーノード）とを具備している移動通信システムであって、無線基地局ＤｅＮＢ＃２とリレーノードＲＮ＃３との間で、Ｘ２インターフェイスが設定されておらず、Ｓ１インターフェイスが設定されており、リレーノードＲＮ＃３とリレーノードＲＮ＃４との間で、Ｘ２インターフェイスが設定されておらず、Ｓ１インターフェイスが設定されており、移動局ＵＥのリレーノードＲＮ＃３配下のセルとリレーノードＲＮ＃４配下のセルとの間のハンドオーバ手順において、リレーノードＲＮ＃３は、リレーノードＲＮ＃４からＳ１インターフェイスを介して受信したハンドオーバ手順用の制御信号を終端するように構成されていることを要旨とする。
【０１０６】
本実施形態の第２の特徴は、無線基地局ＤｅＮＢ＃２と、無線基地局ＤｅＮＢ＃２に接続されているリレーノードＲＮ＃３と、リレーノードＲＮ＃３に接続されているリレーノードＲＮ＃４とを具備している移動通信システムであって、無線基地局ＤｅＮＢ＃２とリレーノードＲＮ＃３との間で、Ｘ２インターフェイスが設定されておらず、Ｓ１インターフェイスが設定されており、リレーノードＲＮ＃３とリレーノードＲＮ＃４との間で、Ｘ２インターフェイスが設定されておらず、Ｓ１インターフェイスが設定されており、移動局ＵＥの無線基地局ＤｅＮＢ＃２配下のセルとリレーノードＲＮ＃４配下のセルとの間のハンドオーバ手順において、リレーノードＲＮ＃３は、リレーノードＲＮ＃４からＳ１インターフェイスを介して受信したハンドオーバ手順用の制御信号を、無線基地局ＤｅＮＢ＃２に対してＳ１インターフェイスを介して転送し、無線基地局ＤｅＮＢ＃２からＳ１インターフェイスを介して受信したハンドオーバ手順用の制御信号を、リレーノードＲＮ＃４に対してＳ１インターフェイスを介して転送するように構成されていることを要旨とする。
【０１０７】
本実施形態の第３の特徴は、Ｘ２インターフェイスではなくＳ１インターフェイスを介して無線基地局ＤｅＮＢ＃２及びリレーノードＲＮ＃４（他のリレーノード）に接続されているリレーノードＲＮ＃３であって、Ｓ１インターフェイスを介して受信したハンドオーバ手順用の制御信号の宛先を判定するように構成されている判定部１２と、ハンドオーバ手順用の制御信号の宛先がリレーノードＲＮ＃３である場合、ハンドオーバ手順用の制御信号を終端するように構成されている受信部１１と、ハンドオーバ手順用の制御信号の宛先がリレーノードＲＮ＃４又は無線基地局ＤｅＮＢ＃２である場合、ハンドオーバ手順用の制御信号をリレーノードＲＮ＃４又は無線基地局ＤｅＮＢ＃２に対してＳ１インターフェイスを介して転送するように構成されている送信部１３とを具備することを要旨とする。
【０１０８】
なお、上述の交換局ＭＭＥやゲートウェイ装置Ｓ-ＧＷや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【０１０９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥやゲートウェイ装置Ｓ-ＧＷや無線基地局ＤｅＮＢやリレーノードＲＮや移動局ＵＥ内に設けられていてもよい。また、かかる記憶媒体及びプロセッサは、ディスクリートコンポーネントとして交換局ＭＭＥやゲートウェイ装置Ｓ-ＧＷや無線基地局ＤｅＮＢやリレーノードＲＮや移動局ＵＥ内に設けられていてもよい。
【０１１１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１１２】
ＭＭＥ…交換局
Ｓ-ＧＷ…ゲートウェイ装置
ＤｅＮＢ…無線基地局
ＲＮ…リレーノード
１１…受信部
１２…判定部
１３…送信部
ＵＥ…移動局
【図１】
2011124930.tif 000003
【図２】
2011124930.tif 000004
【図３】
2011124930.tif 000005
【図４】
2011124930.tif 000006
【図５】
2011124930.tif 000007
【図６】
2011124930.tif 000008
【図７】
2011124930.tif 000009
【図８】
2011124930.tif 000010
【図９】
2011124930.tif 000011